(57)【要約】【課題】電熱マット上に横になった使用者の入眠期を加速度センサーにより検知して、該電熱マットを入眠期検知後に減温し、更に睡眠後期で加温するようにする。【解決手段】温熱マット６上の使用者の体動を加速度センサー２で検知して、得られた体動信号を体動判定部３に送り、該体動判定部３が、使用者の動きが少なくなったことを示す体動信号を受けると、その使用者が入眠期に入ったと判定し、該体動判定部３から電熱出力制御部４へ信号が送られ、該電熱出力制御部４に、予めプログラミングされたプログラムに基づく指令信号が、温熱出力部５を介して温熱発生部７に送られて、前記電熱マット６の温度を入眠期検知後に減温し、更に睡眠後期で加温できるよう構成する。【選択図】図１
2018038636.tif 000002
【特許請求の範囲】
【請求項１】
使用者の体動を検知することができる加速度センサーまたは電波センサーと、体動判定部、温熱出力制御部および温熱出力部とを備えて形成されたコントローラーを、電熱発生部を備えた電熱マットに一体にまたは間隔を有して連結したことを特徴とする体動を検知するセンサーを備えた温熱マット装置。
【請求項２】
請求項１記載の温熱マット装置であって、使用者の体動を加速度センサーまたは電波センサーで検知して、得られた体動信号を体動判定部に送り、該体動判定部が、使用者の動きが少なくなったことを示す体動信号を受けると、その使用者が入眠期に入ったと判定して、該体動判定部から電熱出力制御部へ信号が送られ、前記温熱マットの温度を入眠期検知後に減温し、更に睡眠後期で加温すべく、前記温熱出力制御部に予めプログラミングされたプログラムに基づく指令信号が電熱出力部を介して電熱発生部に送られ、前記温熱マットの温度を入眠期検知後に減温し、更に睡眠後期で加温することを特徴とする体動を検知するセンサーを備えた温熱マット装置。
【発明の詳細な説明】
【技術分野】
【０００１】
本発明は、人体の体動を検知することができる加速度センサー、または電波センサーを備えたコントローラーを、温熱マットに一体に、または間隔を有して連結して形成された温熱マット装置であって、前記温熱マット上に横になっている使用者の体動を前記加速度センサーまたは電波センサーにより検知して、使用者が入眠期に入ったことを検知すると、その使用者が入眠期に入った判定し、前記温熱マットの温度を前記入眠期検知後に減温し、更に睡眠後期で加温することができるようして、使用者の寝付きおよび目覚めをよくし、疲労回復を促進することができる体動を検知するセンサーを備えた温熱マットに関するものである。
【背景技術】
【０００２】
従来、睡眠中の体動を検知する加速度センサーまたは電波センサーを備えた温熱マット装置は実用に供されておらず、単に、室温変化による温度制御（室温が下がれば設定温度を上げる）、または予め決められた温度変化（睡眠中は設定温度を下げる）を行なう付加機能があるのみであった。そして、睡眠中の体動を検知する加速度センサーまたは電波センサーを備えた温熱マット装置に関する先行技術の有無につき、過去の特許文献を遡及検索しても、１件の先行特許文献も発見することができなかった。
【発明の概要】
【発明が解決しようとする課題】
【０００３】
前記のように、睡眠中の人体の体動を検知する加速度センサーまたは電波センサーを使用する温熱マット装置は実用に供されていない実情に鑑み、本発明は、体動を検知することができる加速度センサーまたは電波センサーを備えたコントローラーを温熱マットに連結し、該温熱マット上に横になっている使用者の体動を前記加速度センサーまたは電波センサーにより検知して、使用者が入眠期に入ったことを検知すると、前記温熱マットの温度を前記入眠期検知後に減温し、更に睡眠後期で加温することができるように、前記温熱マットの加温または減温を制御するようにした体動を検知するセンサーを備えた温熱マット装置を提供しようとするものである。
【課題を解決するための手段】
【０００４】
本発明は、前記課題を解決するため、請求項１において、
使用者の体動を検知することができる加速度センサーまたは電波センサーと、体動判定部、温熱出力制御部および温熱出力部とを備えて形成されたコントローラーを、電熱発生部を備えた電熱マットに一体にまたは間隔を有して連結したことを特徴とする体動を検知するセンサーを備えた温熱マット装置が提供され、
更に、請求項２において、
請求項１記載の温熱マット装置であって、使用者の体動を加速度センサーまたは電波センサーで検知して、得られた体動信号を体動判定部に送り、該体動判定部が、使用者の動きが少なくなったことを示す体動信号を受けると、その使用者が入眠期に入ったと判定して、該体動判定部から電熱出力制御部へ信号が送られ、前記温熱マットの温度を入眠期検知後に減温し、更に睡眠後期で加温すべく、前記温熱出力制御部に予めプログラミングされたプログラムに基づく指令信号が電熱出力部を介して電熱発生部に送られ、前記温熱マットの温度を入眠期検知後に減温し、更に睡眠後期で加温することを特徴とする体動を検知するセンサーを備えた温熱マット装置が提供される。
【発明の効果】
【０００５】
前記構成より成る本発明によれば、電熱マット上に横になった使用者の動きが少なくなったことを示す体動信号を体動判定部が受信すると、該体動判定部が、使用者により個人差がある入眠期につき、その使用者が入眠期に入ったと判定し、前記温熱出力制御部から温熱出力部を介して温熱発生部に、前記温熱出力制御部に予めプログラミングされたプログラムに基づき、前記電熱マットの温度を変動させる出力信号が送信され、前記温熱マットの温度を入眠期検知後に減温し、更に睡眠後期で加温することができるようして、使用者の寝付きおよび目覚めをよくし、疲労回復を促進することができるのである。
【図面の簡単な説明】
【０００６】
【図１】本発明体動を検知するセンサーを備えた温熱マット装置の第１の実施例を示すブロック図である。
【図２】本発明体動を検知するセンサーを備えた温熱マット装置の第１の実施例を示す概略斜視図である。
【図３】本発明体動を検知するセンサーを備えた温熱マット装置の第１の実施例において、コントローラーを取外して示す要部の拡大斜視図である。
【図４】本発明体動を検知するセンサーを備えた温熱マット装置の第２の実施例を示すブロック図である。
【図５】本発明体動を検知するセンサーを備えた温熱マット装置の第２の実施例を示す概略斜視図である。
【実施例】
【０００７】
本発明は、温熱マット上に横になっている使用者の体動をセンサーで検知して、個人差のある使用者の入眠期を適正に検知して、体動判定部が入眠期に入ったと判定すると、該体動判定部から温熱出力制御部へ信号が送られ、該温熱出力制御部に予めプログラミングされたプログラムに基づく指令信号により、温熱出力部を介して温熱発生部に温熱出力を変動させる出力信号が送信されて、該出力信号により前記温熱マットの温度を入眠期検知後に減温し、更に睡眠後期で加温することができるようした体動を検知するセンサーを備えた温熱マット装置である。
【０００８】
本発明は、使用者が、電熱マット上で眠りについた後、体動を検知できるセンサーにより「入眠期」を検知すると、入眠期検知後に減温し、更に睡眠後期で加温できるよう、電熱マットの温度を制御して、使用者の熟睡に寄与することができる体動を検知するセンサーを備えた温熱マット装置である。以下、本発明体動を検知するセンサーを備えた温熱マット装置につき、図面に基づいて詳細に説明する。本発明における主要な構成部材である使用者の体動を検知することができるセンサーとしては、加速度センサーと電波センサーのいずれも採用することができる。
【０００９】
先ず、体動を検知できるセンサーとして、加速度センサーを使用するものを本発明の第１の実施例として説明する。すなわち、図１に示すブロック図において、１はコントローラーであって、該コントローラー１は、加速度センサー２が体動判定部３に接続され、且つ該体動判定部３は温熱出力制御部４に接続され、更に該温熱出力制御部４は温熱出力部５に接続されて形成されると共に、前記コントローラー１は温熱形成用の電熱マット６の端縁部に一体に連結固定されて形成されている。なお、前記加速度センサー１は、温熱マット６上に横になっている利用者のＸＹＺ方向の動きを検知することができるものである。
【００１０】
前記電熱マット６は、温熱形成用のヒーター線より成る温熱発生部７が内設され、且つ該電熱マット６上において、横になっている使用者の体動を検知する加速度センサー２を装置したコントローラー１が前記マット６の端縁部に一体に連結固定されていると共に、前記コントローラー１には、前記加速度センサー２で検知された使用者の体動信号を受信して、体動の状態を判定する体動判定部３と、該体動判定部３によって判定された結果に基づき、前記電熱マット６における温熱発生を制御する温熱出力制御部４、および該温熱出力制御部４からの指令により、前記温熱マット６に温熱を発生させる温熱出力部５がそれぞれ設置されている。なお、図中、８はコントローラー１に電源を投入するための電源部、９は電源コードである。
【００１１】
前記体動判定部３によって判定された結果に基づき、前記電熱マット６における温熱発生を制御する温熱出力制御部４には、温熱発生部７の温度を前記入眠期検知後に減温し、更に睡眠後期で加温できるよう、電熱マット６の温度を制御して、使用者の熟睡に寄与することができる体動を検知するセンサーを備えた温熱マット装置である。そして、前記温熱出力制御部４には、入眠期検知後に減温し、更に睡眠後期で加温できるよう、予めプログラミングされたプログラムが組み込まれており、該プログラムに基づく指令信号により、前記温熱マット６の温熱発生部７に温熱出力を変動させる出力信号が送信されるのである。
【００１２】
前記加速度センサー２を備えたコントローラー１は、図２・３に示すように、前記電熱マット６の端縁部に一体に連結固定されている。すなわち、前記電熱マット６の一角が切り欠かれて切欠き部１０が形成され、該切欠き部１０に硬質樹脂製のＬ字状の取付片１１が一体に固定され、且つ該取付片１１には、マット側の雄コネクター１２が設けられると共に、前記コントローラー１にもコントローラー側の雌コネクター１３が設けられ、且つ前記雄コネクター１２と雌コネクター１３を連結することにより、該コントローラー１が電熱マット６に一体に連結固定され、前記加速度センサー２が該マット６上の使用者の体動を適正に検知できるよう形成されている。
【００１３】
前記構成より成る加速度センサー２を使用する第１の実施例の作用について説明する。先ず、前記コントローラー１の電源をＯＮし、電熱マット６上において温熱を発生できるような状態にした後、利用者が眠りに就くべく、前記電熱マット６上において横になると、前記加速度センサー２は利用者の体動を検知し続け、その間、該加速度センサー２で検知された体動信号は継続して前記体動判定部３に送られ、利用者の動きが少なくなったことを、前記加速度センサー２が検知すると、前記体動判定部３が、前記利用者が入眠期に入ったと判定し、該体動判定部３から温熱出力制御部４へ信号が送られて、該温熱出力制御部４に予めプログラミングされたプログラムに基づく指令信号により、前記温熱出力部５を介して、前記電熱マット６の電熱発生部７に温熱出力を変動させる出力信号が送信されて、該出力信号により前記電熱マット６から発生する温熱を入眠期検知後に減温し、更に睡眠後期で加温するのである。
【００１４】
更に、体動を検知するセンサーとして、電波センサーを使用するものを本発明の第２の実施例として説明する。すなわち、図４において、２１はコントローラーであって、該コントローラー２１は、電波センサー２２が体動判定部２３に接続され、且つ該体動判定部２３は電熱出力制御部２４に接続され、更に該電熱出力制御部２４は電熱出力部２５に接続されて形成されると共に、電熱マット２６は電熱形成用のヒーター線より成る電熱発生部２７を備えて形成され、且つ前記電熱マット２６に設置された雄コネクター２８と、前記コントローラー２１に接続コード３０を介して接続された雌コネクター２９とが連結され、これにより前記コントローラー２１は、図４・５に示すように、前記第１の実施例とは異なり、前記電熱マット２６から間隔を有して接続される。前記電波センサー２２は、電熱マット２６上に横になっている利用者の反射波により使用者の動きを検知することができるものである。なお、図中、３１はコントローラー２１に電源を投入するための電源部、３２は電源コードである。そして、本発明の第２の実施例と前記第１の実施例とは、体動を検知するセンサーが異なるだけで、その作用および効果は、前記第１の実施例と同一なので説明を省略する。
【００１５】
なお、本発明体動を検知するセンサーを備えた温熱マット装置は、使用者が入眠期後に何らかの理由により覚醒した場合は、再度体動検知による入眠検知を行い、また睡眠中期および睡眠後期に至る過程において、何らかの理由により覚醒した場合は、使用者は前記コントローラーの電源を一旦ＯＦＦとし、再度眠りに就こうとするときに、該コントローラーの電源をＯＮして、入眠期の検知に戻り、再度入眠を検知するものである。
【符号の説明】
【００１６】
１  コントローラー
２  加速度センサー
３  体動判定部
４  電熱出力制御部
５  電熱出力部
６  電熱マット
７  電熱発生部
８  電源部
９  電源コード
１０  切欠き部
１１  取付片
１２  雄コネクター
２１  コントローラー
２２  電波センサー
２３  体動判定部
２４  電熱出力制御部
２５  電熱出力部
２６  電熱マット
２７  温熱発生部
２８  雄コネクター
２９  雌コネクター
３０  接続コード
３１  電源部
３２  電源コード
【図１】
2018038636.tif 000003
【図２】
2018038636.tif 000004
【図３】
2018038636.tif 000005
【図４】
2018038636.tif 000006
【図５】
2018038636.tif 000007